(57)【要約】【課題】オペレータの負担を軽減できるとともに信頼性の高い通帳類を効率よく作成することが可能な通帳類作成装置及び通帳類作成方法を提供することを目的とする。【解決手段】中間転写フィルム２８に所定情報を印刷する印刷ユニット３と、印刷ユニット３により中間転写フィルム２８に印刷された所定情報を開いた状態の通帳類１の所定頁に転写する転写ユニット４と、転写ユニット４により所定情報を転写された通帳類１を綴目に沿って折り畳む折り畳み部２０８と、折り畳み部２０８により折り畳まれた通帳類１を所定情報の転写順に集積する通帳集積部２１０と、を備えたことを特徴とする。【選択図】    図３
2004240882.tif 000002
【特許請求の範囲】
【請求項１】
見開き状態の通帳類から通帳固有の識別情報を読み取る読取手段と、
前記読取手段により読み取られた識別情報の少なくとも一部を含む所定情報を中間転写媒体に印刷する印刷手段と、
前記印刷手段により中間転写媒体に印刷された所定情報を、通帳類の所定頁に転写する転写手段と、
を備えたことを特徴とする通帳類作成装置。
【請求項２】
積層された通帳類を順次取り込む取込手段と、
前記取込手段により取り込まれ見開き状態の通帳類から通帳固有の識別情報を読み取る読取手段と、
前記読取手段により読み取られた識別情報の少なくとも一部を含む所定情報を中間転写媒体に印刷する印刷手段と、
前記印刷手段により中間転写媒体に印刷された所定情報を、通帳類の所定頁に転写する転写手段と、
前記転写手段により所定情報を転写された通帳類を集積する集積手段と、
を備えたことを特徴とする通帳類作成装置。
【請求項３】
前記転写手段により通帳類に転写された識別情報及び所定情報の少なくとも一方を検査する検査手段を備えたことを特徴とする請求項１または２に記載の通帳類作成装置。
【請求項４】
積層された通帳類を順次取り込む取込手段と、
閉じた状態の通帳類の所定頁を捲り出す捲り出し手段と、
前記捲り出し手段により所定頁が捲り出された通帳類から通帳固有の識別情報を読み取る読取手段と、
前記読取手段により読み取られた識別情報の少なくとも一部を含む所定情報を中間転写媒体に印刷する印刷手段と、
前記印刷手段により中間転写媒体に印刷された所定情報を、前記捲り出し手段により捲り出された通帳類の所定頁に転写する転写手段と、
前記転写手段により通帳類に転写された所定情報を検査する検査手段と、
前記検査手段により検査された通帳類を綴目に沿って折り畳む折畳手段と、
前記折畳手段により折り畳まれた通帳類を前記検査手段による検査結果に基づいて区分して集積する集積手段と、
を備えたことを特徴とする通帳類作成装置。
【請求項５】
中間転写媒体を介して転写される所定情報とは別の印刷情報に基づいて通帳類に直接印刷する直接印刷手段を備えたことを特徴とする請求項４に記載の通帳類作成装置。
【請求項６】
前記印刷手段は、識別情報を含む所定情報の他に、無色蛍光画像を印刷することを特徴とする請求項４に記載の通帳類作成装置。
【請求項７】
前記検査手段は、前記転写手段により通帳類に転写された識別情報、所定情報、無色蛍光画像の少なくとも１つを検査することを特徴とする請求項６に記載の通帳類作成装置。
【請求項８】
中間転写媒体に所定情報を印刷する印刷手段と、
前記印刷手段により中間転写媒体に印刷された所定情報を、見開き状態の通帳類の所定頁に転写する転写手段と、
前記転写手段により所定情報を転写された通帳類を綴目に沿って折り畳む折畳手段と、
前記折畳手段により折り畳まれた通帳類を所定情報の転写順に集積する集積手段と、
を備えたことを特徴とする通帳類作成装置。
【請求項９】
閉じた状態の通帳類の所定頁を捲り出す捲り出し手段と、
中間転写媒体に所定情報を印刷する印刷手段と、
前記印刷手段により中間転写媒体に印刷された所定情報を、前記捲り出し手段により捲り出された通帳類の所定頁に転写する転写手段と、
前記転写手段により所定情報を転写された通帳類を綴目に沿って折り畳む折畳手段と、
前記折畳手段により折り畳まれた通帳類を所定情報の転写順に集積する集積手段と、
を備えたことを特徴とする通帳類作成装置。
【請求項１０】
閉じた状態の通帳類の所定頁を捲り出す捲り出し手段と、
前記捲り出し手段により所定頁が捲り出された通帳類から通帳固有の識別情報を読み取る読取手段と、
前記読取手段により読み取られた識別情報の少なくとも一部を含む所定情報を中間転写媒体に印刷する印刷手段と、
前記印刷手段により中間転写媒体に印刷された所定情報を、前記捲り出し手段により捲り出された通帳類の所定頁に転写する転写手段と、
前記転写手段により所定情報を転写された通帳類を綴目に沿って折り畳む折畳手段と、
前記折畳手段により折り畳まれた通帳類を所定情報の転写順に集積する集積手段と、
を備えたことを特徴とする通帳類作成装置。
【請求項１１】
閉じた状態の通帳類を順次取り込む取込手段を備えたことを特徴とする請求項８乃至１０に記載の通帳類作成装置。
【請求項１２】
中間転写媒体を介して転写される所定情報とは別の印刷情報に基づいて通帳類に直接印刷する直接印刷手段を備えたことを特徴とする請求項８乃至１０のいずれか１項に記載の通帳類作成装置。
【請求項１３】
中間転写媒体に所定情報を印刷する印刷手段と、
前記印刷手段により中間転写媒体に印刷された所定情報を、見開き状態の通帳類の所定頁に転写する転写手段と、
前記転写手段により通帳類に転写された所定情報を検査する検査手段と、
前記検査手段により検査された通帳類を綴目に沿って折り畳む折畳手段と、
前記折畳手段により折り畳まれた通帳類を前記検査手段による検査結果に基づいて区分して集積する集積手段と、
を備えたことを特徴とする通帳類作成装置。
【請求項１４】
中間転写媒体に所定情報を印刷する印刷手段と、
前記印刷手段により中間転写媒体に印刷された所定情報を、見開き状態の通帳類の所定頁に転写する転写手段と、
前記転写手段により通帳類に転写された所定情報の不良の有無を検査する検査手段と、
前記検査手段により検査された通帳類を綴目に沿って折り畳む折畳手段と、
前記折畳手段により折り畳まれた通帳類を前記検査手段による検査結果に基づいて振り分ける振分手段と、
前記振分手段により振り分けられた正常な通帳類を集積する第１集積手段と、
前記振分手段により振り分けられた印刷不良を有する不良通帳類を集積する第２集積手段と、
を備えたことを特徴とする通帳類作成装置。
【請求項１５】
閉じた状態の通帳類の所定頁を捲り出す捲り出し手段と、
前記捲り出し手段により所定頁が捲り出された通帳類から通帳固有の識別情報を読み取る読取手段と、
前記読取手段により読み取られた識別情報の少なくとも一部を含む所定情報を中間転写媒体に印刷する印刷手段と、
前記印刷手段により中間転写媒体に印刷された所定情報を、前記捲り出し手段により捲り出された通帳類の所定頁に転写する転写手段と、
前記転写手段により通帳類に転写された所定情報を検査する検査手段と、
前記検査手段により検査された通帳類を綴目に沿って折り畳む折畳手段と、
前記折畳手段により折り畳まれた通帳類を前記検査手段による検査結果に基づいて区分して集積する集積手段と、
を備えたことを特徴とする通帳類作成装置。
【請求項１６】
閉じた状態の通帳類の所定頁を捲り出す捲り出し手段と、
前記捲り出し手段により所定頁が捲り出された通帳類から通帳固有の識別情報を読み取る読取手段と、
前記読取手段により読み取られた識別情報の少なくとも一部を含む所定情報を中間転写媒体に印刷する印刷手段と、
前記印刷手段により中間転写媒体に印刷された所定情報を、前記捲り出し手段により捲り出された通帳類の所定頁に転写する転写手段と、
前記転写手段により通帳類に転写された所定情報が通帳固有の識別情報に適合するか否かを検査する検査手段と、
前記検査手段により検査された通帳類を綴目に沿って折り畳む折畳手段と、
前記折畳手段により折り畳まれた通帳類を前記検査手段による検査結果に基づいて振り分ける振分手段と、
前記振分手段により振り分けられた適合通帳類を集積する第１集積手段と、
前記振分手段により振り分けられた不適合通帳類を集積する第２集積手段と、
を備えたことを特徴とする通帳類作成装置。
【請求項１７】
中間転写媒体に所定情報を印刷する印刷手段と、
前記印刷手段により中間転写媒体に印刷された所定情報を、見開き状態の通帳類の所定頁に転写する転写手段と、
前記転写手段により通帳類に転写された所定情報を検査する検査手段と、
前記検査手段により検査された通帳類を綴目に沿って折り畳む折畳手段と、
前記折畳手段により折り畳まれた通帳類を前記検査手段による検査結果に基づいて区分して集積する集積手段と、
前記検査手段による検査結果に基づいて不良と判定した通帳類に転写された所定情報を別の通帳類へ再度転写するように制御する制御手段と、
を備えたことを特徴とする通帳類作成装置。
【請求項１８】
中間転写媒体に無色蛍光画像を印刷する印刷手段と、
前記印刷手段により中間転写媒体に印刷された無色蛍光画像を、見開き状態の通帳類の所定頁に転写する転写手段と、
前記転写手段により通帳類に転写された無色蛍光画像を検査する検査手段と、
前記検査手段により検査された通帳類を綴目に沿って折り畳む折畳手段と、
前記折畳手段により折り畳まれた通帳類を前記検査手段による検査結果に基づいて区分して集積する集積手段と、
を備えたことを特徴とする通帳類作成装置。
【請求項１９】
中間転写媒体に無色蛍光画像を印刷する印刷手段と、
前記印刷手段により中間転写媒体に印刷された無色蛍光画像を、見開き状態の通帳類の所定頁に転写する転写手段と、
前記転写手段により通帳類に転写された無色蛍光画像の不良の有無を検査する検査手段と、
前記検査手段により検査された通帳類を綴目に沿って折り畳む折畳手段と、
前記折畳手段により折り畳まれた通帳類を前記検査手段による検査結果に基づいて振り分ける振分手段と、
前記振分手段により振り分けられた正常な通帳類を集積する第１集積手段と、
前記振分手段により振り分けられた無色蛍光画像の印刷不良を有する不良通帳類を集積する第２集積手段と、
を備えたことを特徴とする通帳類作成装置。
【請求項２０】
中間転写媒体に無色蛍光画像を印刷する印刷手段と、
前記印刷手段により中間転写媒体に印刷された無色蛍光画像を、見開き状態の通帳類の所定頁に転写する転写手段と、
前記転写手段により通帳類に転写された無色蛍光画像を検査する検査手段と、
前記検査手段により検査された通帳類を綴目に沿って折り畳む折畳手段と、
前記折畳手段により折り畳まれた通帳類を前記検査手段による検査結果に基づいて区分して集積する集積手段と、
前記検査手段による検査結果に基づいて不良と判定した通帳類に転写された無色蛍光画像を別の通帳類へ再度転写するように制御する制御手段と、
を備えたことを特徴とする通帳類作成装置。
【請求項２１】
中間転写媒体に所定情報を印刷し、
中間転写媒体に印刷された所定情報を、見開き状態の通帳類の所定頁に転写し、
所定情報を転写された通帳類を綴目に沿って折り畳み、
折り畳まれた通帳類を所定情報の転写順に集積する、
ことを特徴とする通帳類作成方法。
【請求項２２】
中間転写媒体に所定情報を印刷し、
中間転写媒体に印刷された所定情報を、見開き状態の通帳類の所定頁に転写し、
通帳類に転写された所定情報を検査し、
検査された通帳類を綴目に沿って折り畳み、
折り畳まれた通帳類を検査結果に基づいて区分して集積する、
ことを特徴とする通帳類作成方法。
【請求項２３】
中間転写媒体に無色蛍光画像を印刷し、
中間転写媒体に印刷された無色蛍光画像を、見開き状態の通帳類の所定頁に転写し、
通帳類に転写された無色蛍光画像を検査し、
検査された通帳類を綴目に沿って折り畳み、
折り畳まれた通帳類を検査結果に基づいて区分して集積する、
ことを特徴とする通帳類作成方法。
【発明の詳細な説明】
【０００１】
【発明の属する技術分野】
この発明は、通帳類作成装置及び通帳類作成方法に係り、特に、中間転写媒体に印刷した所定情報を被転写媒体としての通帳類に転写する印刷装置及び印刷方法に関する。
【０００２】
【従来の技術】
印刷対象とするセキュリティ印刷物としての通帳類、例えば所持人個人を特定するＩＤ情報などの高セキュリティ情報が印刷される通帳類の作成手続きにおいて、オペレータの省力化を目的とした自動化の要求がある。
【０００３】
通帳類を取り扱う省力化技術の従来技術としては、銀行通帳を扱う現金自動預払機（ＡＴＭ）や現金自動支払機（ＣＤ）などにおける、搬送技術、ページめくり技術、印刷搬送技術などの媒体ハンドリング技術が挙げられる（例えば、特許文献１参照。）。また、個人ＩＤ情報などの高セキュリティ情報を印刷するために必要となる高密度、高精彩の印刷技術として、近年中間転写印刷技術を用いる例も開発されている。
【０００４】
これら媒体ハンドリング技術と中間転写印刷技術とを組み合わせることで、高密度、高精彩の印刷が成された通帳類作成の自動化要求を満たすことが可能となる（例えば、特許文献２参照。）。
【０００５】
【特許文献１】
特許第２７９３２５６号公報
【０００６】
【特許文献２】
特開２００２−９６５１０号公報
【０００７】
【発明が解決しようとする課題】
特許文献２などによる自動通帳類作成装置では、閉じた状態で積層された通帳類を１冊づつ取り込む通帳取り込み部、閉じた状態の通帳類の所定頁を捲り出すページ捲り出しり部、通帳類の所定頁に個人ＩＤ情報などを含む所定情報を印刷する中間転写印刷部などを一連の搬送路中に配置することで、自動的に通帳類を作成することが可能となる。
【０００８】
しかしながら、このような自動通帳類作成装置の場合、作成された通帳類は、所定情報の印刷完了後に排出の都度オペレータが受け取るか、または集積箱などに順不同に積層されて置かれるか、である。前者の場合には、１冊毎にオペレータによる作業が発生してしまい、オペレータに負担がかかるといった問題が生ずる。また、後者の場合には、積層されるときに頁が折れてしまい、高セキュリティ情報を有する通帳類でありながら信頼性を損なうおそれがある。また、後者の場合、集積箱に積層される際に通帳類が順不同となるため、データ入力順に出来上がり通帳類の突合せチェックを行う際に手間取り、オペレータに負担がかかるといった問題が生ずる。
【０００９】
また、中間転写印刷部において、個人ＩＤ情報などの高セキュリティ情報の印刷における不具合（例えば文字の欠け、かすれ、変形など）は、通帳類そのものの真偽判別を困難にしてしまう意味から、一般的な印刷装置に比べて影響が大きいと言える。そのため、印刷された所定情報に不具合を有する通帳類を発行することは信頼性を損なう結果に繋がる。このため、通帳類作成装置の処理効率を低減することなく、このような不具合通帳類は確実に排除することが要求される。
【００１０】
そこで、この発明は、上述した問題点に鑑みなされたものであって、その目的は、オペレータの負担を軽減できるとともに信頼性の高い通帳類を効率よく作成することが可能な通帳類作成装置及び通帳類作成方法を提供することにある。
【００１１】
【課題を解決するための手段】
この発明の第１の様態による通帳類作成装置は、
見開き状態の通帳類から通帳固有の識別情報を読み取る読取手段と、
前記読取手段により読み取られた識別情報の少なくとも一部を含む所定情報を中間転写媒体に印刷する印刷手段と、
前記印刷手段により中間転写媒体に印刷された所定情報を、通帳類の所定頁に転写する転写手段と、
を備えたことを特徴とする。
【００１２】
上述した通帳類作成装置によれば、通帳固有の識別情報を読み取り、この読み取った識別情報の少なくとも一部を、所定頁に印刷・転写される所定情報に付与することにより、所定頁の書き換え、改ざんの発見が容易になり、通帳類の偽変造防止効果を向上することができる。したがって、セキュリティ性を向上することができる。
【００１３】
この発明の第２の様態による通帳類作成装置は、
中間転写媒体に所定情報を印刷する印刷手段と、
前記印刷手段により中間転写媒体に印刷された所定情報を、見開き状態の通帳類の所定頁に転写する転写手段と、
前記転写手段により所定情報を転写された通帳類を綴目に沿って折り畳む折畳手段と、
前記折畳手段により折り畳まれた通帳類を所定情報の転写順に集積する集積手段と、
を備えたことを特徴とする。
【００１４】
この発明の第３の様態による通帳類作成方法は、
中間転写媒体に所定情報を印刷し、
中間転写媒体に印刷された所定情報を、見開き状態の通帳類の所定頁に転写し、
所定情報を転写された通帳類を綴目に沿って折り畳み、
折り畳まれた通帳類を所定情報の転写順に集積する、
ことを特徴とする。
【００１５】
上述した通帳類作成装置及び通帳類作成方法によれば、所定頁に所定情報を転写した通帳類を折り畳んだ状態で所定情報の転写順に集積する。このため、オペレータの負担を軽減することができる。また、通帳類の頁の折れを防止することができ、信頼性の高い通帳類を効率よく作成することができる。
【００１６】
この発明の第４の様態による通帳類作成装置は、
中間転写媒体に所定情報を印刷する印刷手段と、
前記印刷手段により中間転写媒体に印刷された所定情報を、見開き状態の通帳類の所定頁に転写する転写手段と、
前記転写手段により通帳類に転写された所定情報を検査する検査手段と、
前記検査手段により検査された通帳類を綴目に沿って折り畳む折畳手段と、
前記折畳手段により折り畳まれた通帳類を前記検査手段による検査結果に基づいて区分して集積する集積手段と、
を備えたことを特徴とする。
【００１７】
この発明の第５の様態による通帳類作成方法は、
中間転写媒体に所定情報を印刷し、
中間転写媒体に印刷された所定情報を、見開き状態の通帳類の所定頁に転写し、
通帳類に転写された所定情報を検査し、
検査された通帳類を綴目に沿って折り畳み、
折り畳まれた通帳類を検査結果に基づいて区分して集積する、
ことを特徴とする。
【００１８】
上述した通帳類作成装置及び通帳類作成方法によれば、所定頁に所定情報を転写した後に、通帳類に転写した所定情報を検査し、この検査結果に基づいて折り畳んだ状態の通帳類を区分して集積する。このため、転写された所定情報に不具合を有する通帳類は、オペレータの手を介することなく区分され、確実に排除することができる。つまり、不具合を有する通帳類を発見した際には、通帳類作成装置の動作を一旦停止してオペレータに該当通帳類の取り除きを求める必要がなく、装置が停止することによる稼働率の低下を招くことがなくなる。また、不具合を有する通帳類を他の正常通帳類と一緒に集積してしまうことがなく、オペレータが該当通帳類を探し出す必要がなくなる。したがって、オペレータの負担を軽減することができ、しかも、通帳類の頁の折れを防止することができ、信頼性の高い通帳類を効率よく作成することができる。
【００１９】
この発明の第６の様態による通帳類作成装置は、
中間転写媒体に無色蛍光画像を印刷する印刷手段と、
前記印刷手段により中間転写媒体に印刷された無色蛍光画像を、見開き状態の通帳類の所定頁に転写する転写手段と、
前記転写手段により通帳類に転写された無色蛍光画像を検査する検査手段と、
前記検査手段により検査された通帳類を綴目に沿って折り畳む折畳手段と、
前記折畳手段により折り畳まれた通帳類を前記検査手段による検査結果に基づいて区分して集積する集積手段と、
を備えたことを特徴とする。
【００２０】
この発明の第７の様態による通帳類作成方法は、
中間転写媒体に無色蛍光画像を印刷し、
中間転写媒体に印刷された無色蛍光画像を、見開き状態の通帳類の所定頁に転写し、
通帳類に転写された無色蛍光画像を検査し、
検査された通帳類を綴目に沿って折り畳み、
折り畳まれた通帳類を検査結果に基づいて区分して集積する、
ことを特徴とする。
【００２１】
上述した通帳類作成装置及び通帳類作成方法によれば、通帳類の所定頁に高セキュリティ情報を無色蛍光画像として転写した後に、通帳類に転写した無色蛍光画像を検査し、この検査結果に基づいて折り畳んだ状態の通帳類を区分して集積する。このため、転写された高セキュリティ情報に不具合を有する通帳類は、流通することなく、確実に排除することができる。したがって、オペレータの負担を軽減することができ、しかも、信頼性の高い通帳類を効率よく作成することができる。
【００２２】
【発明の実施の形態】
以下、この発明の一実施の形態に係る通帳類作成装置及び通帳類作成方法について図面を参照して説明する。この実施の形態では、被転写媒体として、銀行通帳などの個人ＩＤ情報がセキュリティ情報として記載された通帳類の自動通帳類作成装置を例に挙げて説明する。
【００２３】
まず、セキュリティ情報を含む所定情報が印刷・転写された完成通帳類のイメージを図１及び図２に示す。
【００２４】
図１に示すように、開いた状態（見開き状態）の通帳類１では、所定頁１０に個人ＩＤ情報を含んだセキュリティ情報が印刷されている。すなわち、この通帳類１には、黒インクによる文字印刷及びバーコード印刷、イエロー（Ｙ）、マゼンタ（Ｍ）、シアン（Ｃ）の各色インクを順次重ね合わせたカラー印刷（例えば所持人の顔画像）、通常環境下では不可視であって紫外線照射によって可視化される無色蛍光インクを用いた無色蛍光印刷（所持人情報に関連する隠し画像）などが施されている。後に説明する中間転写印刷方式を採用した通帳類作成装置の特徴から、各印刷インクの表面にホログラム層を含む薄膜のオーバーコートがなされている。
【００２５】
これらの所定頁１０に印刷される所定情報は、ほぼ円形またはほぼ楕円形の微小な印刷ドットによって再現される。これらのドット径（ドット面積）を変化させることにより、階調特性を有する印刷することができる。この実施の形態によれば、特に濃度の低い部分、すなわちドット径の小さい部分での階調特性を良好に印刷することが可能となる。
【００２６】
より具体的には、所定頁１０において、その下側には、所持人固有の識別情報を暗号化した文字列１０Ａや、所持人固有の識別情報をコード化したデータコード（バーコード）１０Ｂなどが黒色などで印刷される。また、所定頁１０の上側（綴目１０Ｆ側）には、所持人の顔画像１０Ｃがカラー印刷されるとともに、所持人の識別情報１０Ｄなどが黒色などで印刷される。また、所定頁１０の上側には、所持人情報に関連した蛍光画像１０Ｅが無色蛍光印刷される。これら所定頁１０の上側のエリア（図中の斜線部）は、ホログラムパターンを有するホログラム層を含む薄膜オーバコートによって覆われている。下側のエリアは、ホログラムパターンが形成されていないため、ほぼ透明な薄膜オーバコートによって覆われている。
【００２７】
また、見開き状態の通帳類１の所定頁１０の一方側の頁には、装置投入前から予め通帳固有の通帳識別情報（文字列）が印刷されている。所定頁１０の下側（綴目１０Ｆを挟んで反対側）の端部付近に印刷された文字列１０Ａには、この通帳識別情報の少なくとも一部の情報が含まれていることも特徴である。
【００２８】
すなわち、通帳識別情報は、通帳類１の製造過程から管理可能なシリアル番号を含んでおり、これに種別や使用目的などを加えた番号であることが一般的である。通帳識別情報を後に印刷される文字列１０Ａの一部に含めることで、通帳類１と印刷内容との整合を調査しやすくなり、所定頁１０を剥がして入れ替えるなどの偽変造防止に効果がある。
【００２９】
図１に示した通帳類１の例では、図２に示すように、セキュリティ情報を含む所定情報は中紙２頁目に印刷されており、通帳固有の通帳識別情報は中紙３頁目に付与されている。なお、図１に示した通帳類１の例では、所定情報と通帳識別情報とを見開きの状態で隣り合う頁にそれぞれ配置したが、同じ頁に配置しても良い。
【００３０】
また、以降に説明する通帳類作成装置の実施形態では、中間転写印刷方式による所定情報の印刷の他に、直接印刷方式による追加情報の印刷も可能である。追加情報とは、セキュリティ情報に比べて改竄等のメリットが少なく、また所持人によってデータ量が異なるためセキュリティ情報印刷に加えるにはスペース効率が悪い、などの内容をもつ情報である。例えば銀行通帳であれば、「通帳類再作成に関するメモ書き」や「所持人に認められる取引種類の限定事項」などである。
【００３１】
次に、上述したような構成の通帳類１の内側頁（例えば第２頁）に、セキュリティ情報として個人ＩＤ情報などを含む所定情報を中間転写印刷方式で印刷する通帳類作成装置について説明する。
【００３２】
すなわち、この通帳類作成装置２００は、図３に示すように、取込手段として機能する通帳取り込み部２０１、読取手段として機能するＯＣＲ読み取り部２０２、捲り出し手段として機能するページめくり部２０３、直接印刷手段として機能する直接印刷部２０４、印刷手段及び転写手段として機能する中間転写印刷部２０５、検査手段として機能する第１印刷検査部２０６、検査手段として機能する第２印刷検査部２０７、折畳手段として機能する折り畳み部２０８、振り分け手段として機能する振り分け機構２０９、集積手段として機能する通帳集積部（第１集積手段及び第２集積手段を含む）２１０などを備えて構成されている。
【００３３】
このような通帳類作成装置２００においては、図示しないデータ入力制御部から、作成に必要な個人ＩＤ情報を含む印刷データを受信すると、通帳類作成装置２００によって自動的に必要な情報が通帳類１に印刷されて、最終的には閉じた形で完成通帳類が集積される。オペレータは、通帳類作成装置２００の動作状況を意識することなく、単独または複数の作成予定データを入力しておけばよい。このような自動化によって、オペレータの負担を軽減することができる。
【００３４】
通帳取り込み部２０１は、使用前の閉じた通帳類１を複数冊積み重ねた状態で収容可能であり、必要に応じて１冊づつ装置内部に取り込む。このとき、閉じた状態の通帳類１の綴目１０Ｆは、搬送方向に対して直交する向きで取り込まれることが特徴である。
【００３５】
ＯＣＲ読み取り部２０２は、通帳取り込み部２０１の搬送方向下流側に配置されている。このＯＣＲ読み取り部２０２は、ＯＣＲすなわち光学式文字読取装置を備えており、開いた状態の通帳類１の画像を撮像し、その画像データに基づいて文字認識を行い、通帳類１に予め付与された固有の識別情報を読み取る。そして、このＯＣＲ読み取り部２０２は、読み取り結果を出力する。
【００３６】
例えば、ＯＣＲ読み取り部２０２は、通帳類１に予め付与されていた頁番号（または頁マーク）を読み取る。これにより、隣接するページめくり部２０３で捲り出された頁を認識することが可能となり、さらに捲り出し動作が必要なのか否かなどの判断を行う。加えて、通帳の挿入方向が誤っていることを検知することができる。また、このＯＣＲ読み取り部２０２は、上述した頁番号以外に、所定頁が捲り出された通帳類１から通帳固有の通帳識別情報の読み取る。
【００３７】
ページめくり部２０３は、ＯＣＲ読み取り部２０２の搬送方向下流側に配置されている。このページめくり部２０３は、閉じた状態の通帳類１の表紙及び中紙のページ捲りを行い、印刷に必要な頁を開く。なお、図３に示したレイアウト例では、ページめくり部２０３を、ＯＣＲ読み取り部２０２の下流側に配置したが、上流側に配置しても良い。
【００３８】
すなわち、このページめくり部２０３は、図４に示すように、搬送路の下方に配設されたバックアッププレート２０３Ａ、搬送路の上方に配設されためくりローラ２０３Ｂ、バックアッププレート２０３Ａの揺動の中心に設けられた支点２０３Ｃを中心に揺動自在であるとともにその揺動の先端にめくりローラ２０３Ｂを回動自在に取付けた揺動軸２０３Ｄを有している。揺動軸２０３Ｄが図中破線で示す位置に図示しないモータによって揺動されると、めくりローラ２０３Ｂが揺動されるとともにバックアッププレート２０３Ａがそれに連動して揺動される。また、めくりローラ２０３Ｂは、図示しないモータによって時計回り或いは反時計回り方向に回転可能となっている。
【００３９】
このページめくり部２０３によって通帳類１の頁をめくる場合、まず、通帳類１を綴目１０Ｆ側が後方となるような状態でページめくり部２０３内の所定位置まで搬送して停止させ、例えば図中破線で示すように揺動軸２０３Ｄを図中左方向へ揺動してめくりローラ２０３Ｂを通帳類１の対向する面に押し当てる。このとき、揺動軸２０３Ｄの揺動にともない、バックアッププレート２０３Ａも揺動され、傾いたバックアッププレート２０３Ａによって通帳類１（背面）がバックアッププレート２０３Ａ側から上方へ押し上げられる。
【００４０】
この状態で、通帳類１のめくり対象の頁に押し当てられためくりローラ２０３Ｂを反時計回りに回転し、通帳類１の最上端の頁のめくり動作を開始する。このめくり動作によって当該めくり対象の頁がせり上がるように膨らみ、ある程度めくられたところでめくりローラ２０３Ｂの回転を停止する。さらに、この状態から揺動軸２０３Ｄを図４中実線で示す位置に戻した後、めくりローラ２０３Ｂを再度反時計回りに回転し、当該めくり対象頁をめくりローラ２０３Ｂ上に完全にめくり上げる。
【００４１】
そして、通帳類１を逆方向（搬送方向上流側）に搬送し、めくりローラ２０３Ｂ上にめくり上げた頁を完全に開くとともに、開いた頁をＯＣＲ読み取り部２０２を介して撮像し、画像データを解析することにより開いた頁を確認する。これにより、通帳類１の所望する頁を自動的に開くことができるとともに開いた頁を認識することができる。
【００４２】
直接印刷部２０４は、ページめくり部２０３の搬送方向下流側に配置されている。この直接印刷部２０４は、例えば溶融印刷方式を採用しており、サーマルヘッドを用いて、黒インクリボンと通帳類１の印刷面を重ね合わせて通帳類１の所望する頁に文字情報を印刷する。
【００４３】
直接印刷部２０４にて印刷される追加情報は、後段の中間転写印刷部２０５にて所持人の個人ＩＤ情報などの所定情報を印刷する所定頁１０以外の頁に印刷される。なお、この追加情報は、すべての通帳類１に対して印刷されるものではなく、必要に応じて印刷されるものである。したがって、追加情報を印刷しない場合には、通帳類１は直接印刷部２０４を通過する。
【００４４】
中間転写印刷部２０５は、直接印刷部２０４の搬送方向下流側に配置されている。この中間転写印刷部２０５は、後に詳細な構成について説明するが、中間転写媒体としての中間転写フィルム２８に所定情報を印刷する印刷ユニット３と、印刷ユニット３により中間転写フィルム２８に印刷された所定情報を開いた状態の通帳類１の所定の所定頁１０に転写する転写ユニット４とを備えている。
【００４５】
すなわち、この中間転写印刷部２０５の印刷ユニット３では、黒（Ｂｋ）、イエロー、マゼンタ、シアンの各色インクに、無色蛍光インクを加えた５色インクを面順次に備えた溶融インクリボンを用い、印刷データに基づいてサーマルヘッドを駆動することによる溶融印刷方式により中間転写フィルム２８上に所定情報に対応した画像を形成する。
【００４６】
転写ユニット４では、通帳類１における所定頁１０の表面と中間転写フィルム２８の画像面とを位置合わせしてラミネート動作によって画像を転写する。これにより、通帳類１の所定頁１０に所定情報が形成される。なお、印刷ユニット３に提供される印刷データには、ＯＣＲ読み取り部２０２にて読み取った通帳識別情報の少なくとも一部が含まれており、所定頁の文字列１０Ａの一部に通帳識別情報の少なくとも一部が含まれている。
【００４７】
ここで、このような中間転写印刷部２０５にて適用される中間転写フィルム２８の構造について説明する。
【００４８】
図５の（ａ）に示すように、中間転写フィルム２８は、例えば３層構造であり、ベース層４０、ベース層４０上に配置されたホログラム層４１、ホログラム層４１上に配置された受像層として機能する接着層４２を備えて構成されている。接着層４２上には、印刷ユニット３により所定情報が印刷される。
【００４９】
ベース層４０は、例えばＰＥＴ（ポリエチレンテレフタレート）フィルムによって形成される。剥離層として機能するホログラム層４１は、例えばフェノキシ系樹脂、透明樹脂によるホログラム形成層、金属化合物の蒸着層などを組み合わせた透明ホログラム層などを有して形成される。接着層４２は、例えばポリエステル系樹脂によって形成される。
【００５０】
中間転写フィルム２８の３層のうち、ホログラム層４１及び接着層４２は、転写層として機能し、転写ユニット４において、接着層４２上に印刷された所定情報とともに通帳類１上に転写される。通帳類１上に転写された時に最上層に配置されるホログラム層４１は、保護膜として機能する。
【００５１】
なお、中間転写フィルム２８は、図５の（ａ）に示した構造に限らず、図５の（ｂ）に示したように、ベース層４０とホログラム層４１との間に剥離層４３を配置した構造であっても良い。このような構造の場合、剥離層４３、ホログラム層４１、及び接着層４２が転写層として機能する。
【００５２】
また、中間転写フィルム２８は、図５の（ｃ）に示したように、ベース層４０上に剥離層４３、保護層４４、ホログラム層４１、及び接着層４２をこの順に積層した構造であっても良い。このような構造の場合、剥離層４３、保護層４４、ホログラム層４１、及び接着層４２が転写層として機能する。
【００５３】
さらに、中間転写フィルム２８は、紫外線によって発光する蛍光発色層などの機能層を設け、転写ユニット４において、接着層４２上に印刷された所定情報とともに通帳類１上に転写されるように構成しても良い。
【００５４】
このような構成の中間転写フィルム２８におけるベース層４０の厚さや、受像層としての機能を兼ね備えた接着層４２の総厚は、接着性や膜切れ特性に影響を与えるパラメータであり、中間転写フィルムの総厚は、１０乃至１００μｍの範囲であり、望ましくは、２５乃至５０μｍの範囲である。
【００５５】
第１印刷検査部２０６は、中間転写印刷部２０５の搬送方向下流側に配置されている。この第１印刷検査部２０６は、中間転写印刷部２０５により通帳類１の所定頁１０に形成された所定情報を検査するもので、特に所定情報のうちの可視画像を検査する。
【００５６】
すなわち、この第１印刷検査部２０６は、光学式文字読取装置などを備えており、所定頁１０を開いた状態の通帳類１の画像を撮像し、その画像データに基づいて文字認識を行い、中間転写印刷部２０５で印刷された所定情報のうちの文字について出来上がりを検査する。そして、この第１印刷検査部２０６は、印刷された文字の欠けやかすれなどの不具合の有無を検査し、検査結果を出力する。
【００５７】
また、この第１印刷検査部２０６は、ＯＣＲ読み取り部２０２にて読み取った通帳固有の通帳識別情報と中間転写印刷部２０５で印刷された文字列１０Ａの関連を確認する。すなわち、通帳識別情報と文字列１０Ａとを比較して、所定頁１０の所定情報が通帳識別情報に適合するか否かが検査される。これにより、文字列１０Ａの一部に通帳識別情報の少なくとも一部が含まれていることを確認することで、所定情報が対応する通帳類１に正しく形成されているか否かを確認する。そして、この第１印刷検査部２０６は、通帳類識別情報と所定情報との適合性に対応した検査結果を出力する。
【００５８】
第２印刷検査部２０７は、第１印刷検査部２０６の搬送方向下流側に配置されている。この第２印刷検査部２０７は、中間転写印刷部２０５により通帳類１の所定頁１０に形成された所定情報のうちの蛍光画像を検査する。すなわち、この第２印刷検査部２０７は、紫外線光源、光学式文字読取装置などを備えており、所定頁１０を開いた状態の通帳類１に対して紫外線を照射し、それにより得られる蛍光画像を撮像し、その画像データに基づいて、中間転写印刷部２０５で印刷された蛍光画像について出来上がりを検査する。そして、この第２印刷検査部２０７は、印刷された蛍光画像の欠けやかすれなどの不具合の有無を検査し、検査結果を出力する。
【００５９】
なお、第１印刷検査部２０６及び第２印刷検査部２０７における撮像装置を共有として照明を切り換えることでそれぞれ個別に行われている検査を１つの検査部で行うように構成することも可能である。このような構成では、照明は、白色または近赤外波長の照明と、紫外波長の照明とを用いる。
【００６０】
折り畳み部２０８は、第２印刷検査部２０７の搬送方向下流側に配置されている。この折り畳み部２０８は、検査された通帳類１を綴目１０Ｆに沿って折り畳む。すなわち、この折り畳み部２０８は、開いた状態で搬送されてきた通帳類１を所定の位置で一旦停止し、図示しない爪状機構部品を綴じ糸近くに差込み、通帳類１をくの字に折り曲げながら綴じ糸部（綴目１０Ｆ）を先頭にして再度を搬送することで、折り畳み動作を行う。
【００６１】
振り分け機構２０９は、折り畳み部２０８の搬送方向下流側に配置されている。この振り分け機構２０９は、折り畳まれた状態の通帳類１について第１印刷検査部２０６及び第２印刷検査部２０７から出力された検査結果に基づいて搬送先を振り分ける。すなわち、この振り分け機構２０９は、不具合がないと判断された正常通帳類を通帳集積部２１０の第１集積部２１０Ａに振り分け、不具合を有すると判断された不良通帳類を通帳集積部２１０の第２集積部２１０Ｂに振り分ける。
【００６２】
ここで、正常通帳類１とは、第１印刷検査部２０６にて所定情報のかけやかすれなどの不具合がなくしかも所定情報が通帳識別情報に適合すると判断され、且つ、第２印刷検査部２０７にて蛍光画像のかけやかすれなどの不具合がないと判断されたものである。不良通帳類１とは、所定情報もしくは蛍光画像に不具合があるか、または、所定情報が通帳識別情報に適合しないと判断されたものである。
【００６３】
通帳集積部２１０は、振り分け機構２０９の搬送方向下流側に配置されている。この通帳集積部２１０は、第１印刷検査部２０６及び第２印刷検査部２０７による検査結果に基づいて区分して集積するものであり、不具合のない正常通帳類を集積する第１集積手段として機能する第１集積部２１０Ａ、不良通帳類を保管する第２集積手段として機能する第２集積部２１０Ｂなどを備えている。この第１集積部２１０Ａは、正常通帳類を出来上がり順（所定情報の転写順）に閉じた状態で集積する。
【００６４】
次に、中間転写印刷部２０５の構成について説明する。
図６に示すように、中間転写印刷部２０５は、印刷手段として機能する印刷ユニット３と、搬送手段として機能する搬送機構３０、転写手段として機能する転写ユニット４と、を備えて構成されている。
【００６５】
すなわち、印刷ユニット３は、中間転写フィルム２８に対して所定情報、すなわち所持人固有の識別情報や顔画像などの所定情報を印刷する。この印刷ユニット３は、サーマルヘッド５、このサーマルヘッド５に対向配置され正逆方向に自由回転するプラテンローラ６などを備えて構成された熱溶融転写印刷方式を採用している。
【００６６】
サーマルヘッド５とプラテンローラ６との間には、例えばイエロー（Ｙ），マゼンタ（Ｍ），シアン（Ｃ），ブラック（Ｂｋ）、紫外線照射によって発光する無色蛍光インクの各色の溶融インクをダンダラ（段だら）状に有したインクリボン７及び中間転写フィルム２８が介在されている。この印刷ユニット３では、このようなインクリボン７を用いてカラー画像や黒色文字、蛍光画像の印刷が可能である。
【００６７】
サーマルヘッド５は、所定の印刷位置において、中間転写フィルム２８の印刷開始位置から所定情報を印刷する。この中間転写印刷部２０５に適用されるサーマルヘッド５は、発熱体をヘッドの端面に配置して構成された、いわゆる端面型サーマルヘッド、または、発熱体をヘッドのコーナ近傍に配置して構成された、いわゆるニアエッジ型サーマルヘッドである。
【００６８】
このようなタイプのサーマルヘッドを使用した印刷装置では、インクリボン７及び中間転写フィルム２８が、サーマルヘッド５の発熱体を通過した直後、すなわち溶融転写されたインクが冷え固まる前に、剥離板等を必要とすることなく剥離される、いわゆる熱時剥離方式が採用される。
【００６９】
プラテンローラ６は、弾性材料、例えば硬質のゴム材料を巻きつけることによって構成されている。ゴム材料の硬度が上がるほどに微小ドットの再現性が向上するが、同時に最適なプラテンローラ６とサーマルヘッド５との位置関係を得ることが困難となる。このため、この実施の形態では、プラテンローラ６は、その表面に、硬度（「ＪＩＳ−Ｋ６２５３」による）が７５度以上、望ましくは８５度乃至９７度の範囲のゴム材料を巻きつけることによって構成されている。
【００７０】
同時に、研磨したゴム表面の平均表面粗さも、表面平滑性が上がるほどに微小ドットの再現性が向上する。このため、この実施の形態では、プラテンローラ６は、その表面に、平均表面粗さが中心線平均粗さＲａで１μｍ以下、望ましくは０．５μｍ以下のゴム材料を巻きつけることによって構成されている。
【００７１】
インクリボン７は、その一端部が送出軸８に巻き付けられ、その他端部が巻取軸９に巻き付けられている。送出軸８及び巻取軸９の少なくとも一方は、正逆両方向に独立に駆動可能である。送出軸８から送出されたインクリボン７の中途部は、ガイドシャフト２１，２２に掛け渡されている。
【００７２】
このような熱溶融転写方式の特徴として、画像耐久性が高いこと、インク材料に機能性材料を適用することが比較的容易なこと（例えば蛍光顔料、アルミ蒸着薄膜）などが挙げられ、偽造防止を目的とする印刷物に適している。なお、インクリボン７としては、単色インクのみのリボンでも良く、また、光沢面も持つ印刷用の金属薄膜（アルミ蒸着）層、或いは、印刷用のホログラム層等の機能を有するリボン材料を有していても良い。
【００７３】
このインクリボン７のベースフィルム厚やインク層厚は、印刷ドット再現性に極めて重要なパラメータであり、インクリボンの総厚としては、３乃至２５μｍの範囲であり、望ましくは４乃至１０μｍの範囲内である。
【００７４】
搬送機構３０は、所定情報を有する中間転写フィルム２８を所定の搬送速度で搬送する。この搬送機構３０は、第１軸３１Ａ及び３１Ｂを有し、一方の軸から他方の軸に向かって中間転写フィルム２８を搬送可能である。すなわち、中間転写フィルム２８は、その一端側が印刷ユニット３の上部側に設けられた第２軸３１Ｂに巻き付けられ、その他端側が印刷ユニット３の下部側に設けられた第１軸３１Ａに巻き付けられている。
【００７５】
第１軸３１Ａ及び第２軸３１Ｂは、それぞれ駆動モータＭ１及びＭ２によって駆動され、正逆両方向に独立に駆動可能である。また、これら第１軸３１Ａ及び第２軸３１Ｂを駆動する駆動モータＭ１及びＭ２は、後述するモータ制御回路１０７によって駆動制御され、印刷ユニット３における印刷位置及び転写ユニット４における転写位置に向けて中間転写フィルム２８を所定のテンションで搬送する。駆動モータＭ１及びＭ２は、ブラシレスＤＣモータなどによりフィルムテンション調整が可能となっている。
【００７６】
第１軸３１Ａが中間転写フィルム２８を巻き取る巻取軸として機能する場合、第２軸３１Ｂが中間転写フィルム２８を送出する送出軸として機能する。このとき、中間転写フィルム２８は、図６中の順方向Ａに搬送される（順搬送）。また、第２軸３１Ｂが中間転写フィルム２８を巻き取る巻取軸として機能する場合、第１軸３１Ａが中間転写フィルム２８を送出する送出軸として機能する。このとき、中間転写フィルム２８は、図６中の逆方向Ｂに搬送される（逆搬送）。
【００７７】
また、搬送機構３０は、プラテンローラ６と転写ユニット４との間に配置され、印刷ユニット３にて所定情報を印刷された中間転写フィルム２８を所定の搬送速度で搬送する搬送ローラ３２を備えている。搬送ローラ３２は、正逆両方向に独立に駆動可能であり、中間転写フィルム２８を所定の搬送速度で搬送する。すなわち、中間転写フィルム２８の搬送速度は、主に搬送ローラ３２によって決まるため、搬送ローラ３２の駆動は、５相ステッピングモータと減速機構とを組み合わせて正確に行われる。
【００７８】
第２軸３１Ｂ及び第１軸３１Ａとの間では、中間転写フィルム２８の中途部がガイドシャフト３１ａ〜３１ｃに掛け渡され、ほぼ一定のテンションに維持されている。ガイドシャフト３１ｃは、ヒートローラ２６を通過した後に中間転写フィルム２８と通帳類１とを剥離する剥離ガイドとして機能する。
【００７９】
中間転写フィルム２８を搬送する駆動力は、一般的にプラテンローラ６に駆動機構を設けて駆動することにより発生することが多いが、上述したようなプラテンローラ６の硬度と表面粗さとの関係から、中間転写フィルム２８とプラテンローラ６との摩擦係数が上がらず、また、安定しない。
【００８０】
このため、この実施の形態では、プラテンローラ６の下流（ヒートローラ２６側）直近に搬送ローラ３２を設けている。この搬送ローラ３２は、硬度３０度乃至６０度の範囲のゴム材料を用いたローラである。中間転写フィルム２８は、搬送ローラ３２に対してできるだけ巻き付き角が大きい方が望ましい。この実施の形態では、９０°乃至１３０°の巻き付き角で巻きついている。この搬送ローラ３２は、図７に示すように、５相ステッピングモータ３２Ａ、タイミングベルト３２Ｂ、及び、プーリ３２Ｃによる減速機構を組み合わせて、正確に中間転写フィルム２８の搬送を行う。
【００８１】
転写ユニット４は、ヒートローラ２６、このヒートローラ２６に対向配置されたバックアップローラ２７などを備えている。このヒートローラ２６とバックアップローラ２７との間には、中間転写フィルム２８が介在されている。ヒートローラ２６は、ＤＣサーボモータもしくはステッピングモータにより正確な一定速度で駆動可能である。回転自在なバックアップローラ２７は、ヒートローラ２６との間に所定の圧力がかかるようにコイルバネ２７Ｃによって付勢されている。
【００８２】
図８に示すように、ヒートローラ２６は、回転軸に対して垂直方向の断面形状がほぼ半円形状の断面を有している。すなわち、このヒートローラ２６は、芯金３５を有している。この芯金３５は、その一部の外周面に平面状にカットされたカット面３５Ａを有している。芯金３５の内部には、加熱源としてのヒータ６５が設けられている。芯金３５の円弧部３５Ｂの外周面には、厚さ０．５ｍｍ〜２ｍｍの耐熱性ゴム３６が被覆されている。
【００８３】
なお、耐熱性ゴム３６は、芯金３５の円弧部３５Ｂのみならず、カット面３５Ａを含む全周を覆っても良い。また、ヒートローラ２６は、耐熱性ゴムがなくて芯金のみでもよい。この場合、ヒートローラ表面には、汚れの付着防止のフッ素樹脂化合物によるコーティングなどを行うことが望ましい。また、ヒートローラ２６は、その円弧部３５Ｂの周方向に沿った長さが通帳類１の転写エリアの長さと略同等もしくはそれ以上の長さになるように形成されている。
【００８４】
ヒートローラ２６は、印刷待機時においては、図８に示すように、そのカット面３５Ａを搬送路１１に対してほぼ並行に対向して配置されている。これにより、ヒートローラ２６とバックアップローラ２７との間には、通帳類１を配置可能な隙間が形成されている。このとき、中間転写フィルム２８は、ヒートローラ２６及びバックアップローラ２７に接触しないとともに、印刷開始時に進入してくる通帳類１の表面にも接触しない位置に配置されることが望ましい。
【００８５】
このヒートローラ２６は、転写時にのみ回転し、中間転写フィルム２８に接触する。すなわち、中間転写フィルム２８への印刷動作に伴って、中間転写フィルム２８は、ヒートローラ２６及びバックアップローラ２７に接触することなく搬送される。転写時には、これらヒートローラ２６及びバックアップローラ２７は、転写位置（ヒートローラ２６とバックアップローラ２７とが接触している位置）において、中間転写フィルム２８と通帳類１とを通帳類１の厚さによらず一定の圧力で圧着しつつヒータ６５からの熱によって加熱することにより、中間転写フィルム２８の転写開始位置から中間転写フィルム２８上に印刷された所定情報を通帳類１に転写する。
【００８６】
図７に示すように、テンション機構８０は、搬送ローラ３２と転写ユニット４との間に配置される。このテンション機構８０は、限られた可動範囲内で搬送機構３０によって搬送される中間転写フィルム２８に対して所定テンションを付与する。すなわち、テンション機構８０は、搬送される中間転写フィルム２８にたるみが生じても、中間転写フィルム２８に対して所定のテンションを付与する。これにより、搬送ローラ３２と中間転写フィルム２８とが常に適切に接触する状態を作り出して、たるみを改善することができる。
【００８７】
図６に示すように、通帳類搬送部２は、第１搬送ローラ対１３Ａ、第２搬送ローラ対１３Ｂ、及び、第３搬送ローラ対１３Ｃを備えている。第１搬送ローラ対１３Ａは、転写ユニット４より搬送方向上流側に配置されている。第２搬送ローラ対１３Ｂ及び第３搬送ローラ対１３Ｃは、転写ユニット４より搬送方向下流側に配置されている。
【００８８】
これら第１乃至第３搬送ローラ対１３Ａ乃至１３Ｃは、所定頁１０を開いた状態の通帳類１を搬送路１１に沿って転写ユニット４の転写位置まで搬送する。すなわち、これら第１乃至第３搬送ローラ対１３Ａ乃至１３Ｃは、共に正方向（反時計回り）に回転し、通帳類１の所定頁１０における転写開始位置がヒートローラ２６による転写位置に整合するように通帳類１を搬送する。また、これら第１乃至第３搬送ローラ対１３Ａ乃至１３Ｃは、共に正方向に回転し、転写ユニット４における転写動作が終了した通帳類１をさらに下流側に向けて搬送する。
【００８９】
中間転写フィルム２８の供給路上には、第１センサＳ１及び第２センサＳ２が配置されている。これら第１センサＳ１及び第２センサＳ２は、中間転写フィルム２８の有効領域の外側に配置されたバーマークを検知したことを示す出力信号を出力する。また、通帳類１の搬送路１１上には、第３センサＳ３及び第４センサＳ４が配置されている。これら第３センサＳ３及び第４センサＳ４は、挿入された通帳類１の有無を検知し、その出力信号を出力する。なお、これら第１乃至第４センサＳ１乃至Ｓ４は、例えば透過型センサであり、一対の発光部及び受光部を備えて構成されているが、反射型センサによって構成されてもよい。
【００９０】
次に、上述した通帳類作成装置２００における制御系について説明する。
【００９１】
図９に示すように、通帳類作成装置２００は、装置全体を制御する制御手段として機能するＣＰＵ１００を備えている。
【００９２】
このＣＰＵ１００には、装置全体の駆動を制御するための制御プログラムなどを記憶したメモリ部１０１や、ホストコンピュータやデータ入力装置などの外部機器から印刷に必要な印刷データを受信するインタフェース部１０２などが接続されている。
【００９３】
インタフェース部１０２を介して受信した印刷データは、メモリ部１０１に一時的に記憶される。この印刷データとしては、外部機器の画像入力部などを介して取得された所持人のカラー顔画像データや、外部機器の操作パネルなどを介して入力された所持人のセキュリティ文字情報に対応したデータなどである。
【００９４】
メモリ部１０１では、記憶した印刷データは、作成した通帳類が正常通帳類として判定されるまで保存されている。つまり、メモリ部１０１では、不良通帳類が発生したのに基づいて、この不良通帳類に印刷した所定情報に対応する同一のカラー顔画像データ及びセキュリティ文字情報に対応したデータを再度提供することができる。
【００９５】
また、ＣＰＵ１００には、中間転写印刷部２０５の駆動を制御するために、サーマルヘッド制御回路１０３、インクリボン搬送制御回路１０４、ヒータ温度制御回路１０５、ヒートローラ回転制御回路１０６、モータ制御回路１０７、媒体搬送制御回路１０８、センサ入力回路１０９などが接続されている。
【００９６】
サーマルヘッド制御回路１０３は、印刷データに基づいてサーマルヘッド５の印刷動作を制御する。インクリボン搬送制御回路１０４は、印刷ユニット３における搬送機構として機能する送出軸８及び巻取軸９の駆動を制御する。ヒータ温度制御回路１０５は、ヒートローラ２６内部のヒータ６５を駆動して、ヒートローラ２６を所定の温度に維持するよう制御する。
【００９７】
ヒートローラ回転制御回路１０６は、ヒートローラ２６の回転駆動を制御する。すなわち、ヒートローラ回転制御回路１０６は、通帳類１の転写開始位置と、ヒートローラ２６による中間転写フィルム２８上に印刷された所定情報の転写位置とを整合した状態で、ヒートローラ２６のカット面３５Ａのエッジ部を転写開始位置に当接させた後、所定方向にヒートローラ２６を回転させ、かつ、中間転写フィルム２８及び通帳類１をヒートローラ２６の回転速度に合わせて搬送させることにより、中間転写フィルム２８上の所定情報を通帳類１に転写する。
【００９８】
モータ制御回路１０７は、搬送機構３０として機能する第１軸３１Ａ、第２軸３１Ｂ、及び、搬送ローラ３２の駆動を制御する。媒体搬送制御回路１０８は、搬送ローラ対１３Ａ、１３Ｂ、及び、１３Ｃの駆動を制御して、挿入された通帳類１を取り込み、所定の転写位置まで搬送し、転写完了した通帳類１を排出する。
【００９９】
センサ入力回路１０９は、第１センサＳ１及び第２センサＳ２から出力信号に基づいて中間転写フィルム２８のバーマークを検知する。また、センサ入力回路１０９は、第３センサＳ３及び第４センサＳ４から出力信号に基づいて通帳類１の有無を検知する。
【０１００】
また、このＣＰＵ１００には、通帳搬送制御回路１１０が接続されている。この通帳搬送制御回路１１０は、主搬送路１１に沿って通帳類１を搬送する主搬送機構１１１、通帳取り込み部２０１、ページめくり部２０３、折り畳み部２０８、振り分け機構２０９、通帳集積部２１０などの駆動を制御する。
【０１０１】
さらに、このＣＰＵ１００には、直接印刷部２０４の駆動を制御する印刷制御回路１１２が接続されている。また、ＣＰＵ１００には、ＯＣＲ読み取り部２０２、第１印刷検査部２０６、第２印刷検査部２０７などの駆動を制御する読取処理制御回路１１３が接続されている。
【０１０２】
またさらに、ＣＰＵ１００には、メモリ部１０１に記憶されている所持人のカラー顔画像データ、同一所持人のセキュリティ文字情報に対応したデータ、さらには、ＯＣＲ読み取り部２０２にて読み取った通帳固有の通帳識別情報に対応したデータなどを組み合わせて処理を行い、中間転写印刷部２０５に提供する印刷データを作成する画像処理部１１４などが接続されている。
【０１０３】
また、この画像処理部１１４では、不良通帳類が発生したのに基づいて、メモリ部１０１から再度提供されたカラー顔画像データ及びセキュリティ文字情報に対応したデータと、新たにＯＣＲ読み取り部２０２にて読み取った通帳識別情報に対応したデータなどとを組み合わせて処理を行い、印刷データを作成する。これにより、不良通帳類が発生しても再度作成された印刷データに基づいて同様の印刷・転写動作を行うことにより、確実にすべての印刷データに対応した所定情報を有する通帳類１を作成することができる。
【０１０４】
次に、上述した通帳類作成装置２００における全体の動作について説明する。
（通帳取り込み部〜ページめくり部）
すなわち、ＣＰＵ１００の制御に基づいて、通帳取り込み部２０１により、
閉じた状態の一冊または複数冊積み重ねられた通帳類のうち、最も下層の通帳類１一冊のみが綴目１０Ｆを搬送方向方向側となるように主搬送機構１１１の搬送路に沿って取り込まれる。そして、ページめくり部２０２まで搬送された通帳類１は、ＣＰＵ１００の制御に基づいて、ページめくり部２０３により、まず表紙、続いて中紙の順に一枚ずつめくられる。そして、表示、中紙１枚がめくられた状態でＯＣＲ読み取り部２０２に搬送された通帳類１は、ＣＰＵ１００の制御に基づいて、ＯＣＲ読み取り部２０２により、めくり出された頁の頁番号が認識され、所定の頁までめくったか否かが確認される。
【０１０５】
（直接印刷部）
続いて、直接印刷部２０４に搬送された通帳類１には、ＣＰＵ１００の制御に基づいて、直接印刷部２０４により、例えば図２に示したように、追加情報が中紙５頁に印刷される。このとき、通帳類１は、ページめくり部２０３により中紙４，５頁を開いた状態で直接印刷部２０４まで搬送される。そして、ＣＰＵ１００の制御に基づいて直接印刷部２０４では、通帳類１をサーマルヘッドに対して位置決めを行った状態で、プラテンローラ２０４Ｐを図示しない上下駆動機構で開放位置から押圧位置まで上昇させる。そして、通帳類１と黒インクリボンとを同速度で搬送しながらサーマルヘッドの抵抗体を選択的に発熱させることで、通帳類１の５頁に追加情報である黒文字データが印刷される。
【０１０６】
直接印刷部２０４にて印刷が終了したら、再びプラテンローラ２０４Ｐを開放位置まで下げて、通帳類１をページめくり部２０３まで戻し、所定頁１０を開いた状態すなわち通帳類１の中紙の２頁及び３頁を見開いた状態で中間転写印刷部２０５に搬送する。
【０１０７】
なお、通帳類１の中紙５頁以外に追加情報を印刷する場合には、上記の手順を繰り返すことでいずれの頁にも追加情報を自動的に印刷することが可能である。また、追加情報を印刷しない場合には、直接印刷部２０４での印刷動作は行われず、通帳類１は直接印刷部２０４を通過することになる。
【０１０８】
（中間転写印刷部／印刷ユニット及び転写ユニット）
この実施の形態では、図２に示すように、セキュリティ情報を含む所定情報を中紙２頁に印刷する。この場合、ページめくり部２０３により中紙２頁及び３頁を開いた状態とし、引き続き３頁端部側に付与されている通帳固有の通帳識別情報（図１に示した例では「Ａ１Ｂ２Ｃ３Ｄ４Ｅ５」）をＯＣＲ読み取り部２０２で認識する。認識された通帳識別情報は、ＣＰＵ１００の制御に基づいて印刷データを作成する画像処理部１１４にて所定の処理が施され、印刷データの一部として組み込まれる。
【０１０９】
中間転写印刷部２０５では、上述したような印刷データに基づいて印刷動作が行われた後、通帳類への転写動作が行われる。
【０１１０】
まず、中間転写印刷部２０５の印刷ユニット３による中間転写フィルム２８への印刷動作について説明する。
【０１１１】
すなわち、ＣＰＵ１００は、印刷開始指示を受信したのに基づいて、モータ制御回路１０７を制御して、搬送機構３０としての第１軸３１Ａ及び３１Ｂ、及び、搬送ローラ３２を駆動し、中間転写フィルム２８を送出する。そして、ＣＰＵ１００は、センサ入力回路１０９を介して第１センサＳ１からの出力信号に基づいて送出された中間転写フィルム２８のバーマークを検知する。
【０１１２】
続いて、ＣＰＵ１００は、バーマークを検知した位置を基準として中間転写フィルム２８の送出量を算出する。すなわち、ＣＰＵ１００は、ホログラム層４１のホログラムパターンと、サーマルヘッド５で印刷される所定情報との重なり位置を制御するため、第１センサＳ１の位置でバーマークを検知してから、ホログラム層４１における所定の印刷開始位置がサーマルヘッド５による印刷位置に到達するまでの中間転写フィルム２８の送出量を算出する。そして、ＣＰＵ１００は、算出した送出量に基づいてモータ制御回路１０７を制御して搬送機構３０を駆動し、中間転写フィルム２８を所定の送出量だけ送出する。
【０１１３】
続いて、ＣＰＵ１００は、インクリボン搬送制御回路１０４を制御して送出軸８及び巻取軸９を駆動するとともに、メモリ部１０１に記憶した印刷データに基づいてサーマルヘッド制御回路１０３を制御してサーマルヘッド５を駆動し、インクリボン７のインクを中間転写フィルム２８の接着層４２上に転写してカラー、黒色または無色蛍光の所定情報を印刷する。印刷された所定情報は、反転画像であるという特徴がある。
【０１１４】
すなわち、サーマルヘッド５は、中間転写フィルム２８が順方向Ａに搬送されている間に印刷データに基づいて発熱することにより、インクリボン７のインクが溶融されて中間転写フィルム２８の接着層４２表面に転写される。複数色の重ね合わせ印刷の場合は、中間転写フィルム２８をサーマルヘッド５に対して色数と同じ回数だけ往復させることで行われる。つまり、カラー印刷を行う場合、中間転写フィルム２８への複数の色のうちの第１色目の印刷動作が完了した後、中間転写フィルム２８を逆方向Ｂに搬送し、中間転写フィルム２８における印刷開始位置をサーマルヘッド５による印刷位置に整合させ、中間転写フィルム２８への第２色目の印刷動作を行う。そして、必要に応じて複数の色を順次重ね合わせる。
【０１１５】
なお、ここで顔画像情報などの所定情報をカラー印刷する場合には、文字画像情報を印刷する色よりもイエロー（Ｙ）、マゼンタ（Ｍ）、シアン（Ｃ）などの色の重ね合わせ印刷を優先して行う。文字画像情報を印刷する色、例えば黒色（Ｂｋ）は、最後に重ね合わせられる。
【０１１６】
これにより、中間転写フィルム２８上に、所持人に関するセキュリティ情報を含む所定情報、すなわち、黒色の文字情報や画像情報、カラー顔画像情報、蛍光画像情報などが印刷される。
【０１１７】
上述したような印刷動作によって中間転写フィルム２８上に印刷された所定情報は、印刷ユニット３における印刷位置と転写ユニット４における転写位置との間に少なくとも１画像分ストックされる。図６に示した例では、印刷予定エリアに所定情報を印刷する前の状態で、印刷位置と転写位置との間にストックされた印刷済みの画像が２つある場合を示している。
【０１１８】
次に、印刷装置の転写ユニット４による通帳類１への所定情報の転写動作について説明する。この実施の形態では、印刷ユニット３で印刷された所定情報を有する中間転写フィルム２８の接着層４２と被転写媒体としての通帳類１の該当所定頁（印刷頁）１０とを重ね合わせて、所定情報とともに接着層４２及びホログラム層４１を通帳類１上に転写する。
【０１１９】
まず、図１０の（ａ）に示すように、ＣＰＵ１００は、モータ制御回路１０７を制御して搬送機構３０を駆動し、印刷ユニット３において所定情報が印刷された中間転写フィルム２８を図６中の順方向Ａに向けて送出する。そして、ＣＰＵ１００は、センサ入力回路１０９を介して第２センサＳ２からの出力信号に基づいて送出された中間転写フィルム２８のバーマークを検知する。
【０１２０】
続いて、ＣＰＵ１００は、バーマークを検知した位置を基準として中間転写フィルム２８の送出量を算出する。すなわち、ＣＰＵ１００は、ホログラム層４１のホログラムパターン及び印刷された所定情報と、転写される通帳類１との重なり位置を制御するため、第２センサＳ２の位置でバーマークを検知してから、ホログラム層４１における所定の転写開始位置がヒートローラ２６による転写開始位置に到達するまでの中間転写フィルム２８の送出量を算出する。そして、ＣＰＵ１００は、算出した送出量に基づいてモータ制御回路１０７を制御して搬送機構３０を駆動し、中間転写フィルム２８を所定の送出量だけ送出する。
【０１２１】
一方、ＣＰＵ１００は、媒体搬送制御回路１０８を制御し、第１搬送ローラ対１３Ａ及び第２搬送ローラ対１３Ｂを駆動し、印刷頁１０を開いた状態で取り込まれた通帳類１を転写ユニット４における転写位置まで搬送する。印刷頁１０は、ここでは中紙の２頁目に該当するが、表紙見返し頁でも、他の中紙頁でもかまわない。
【０１２２】
続いて、図１０の（ｂ）に示すように、印刷装置のＣＰＵ１００は、センサ入力回路１０９を介して第３センサＳ３からの出力信号に基づいて通帳類１の搬送方向後端部の通過を検知したのに基づいて、媒体搬送制御回路１０８を制御し、第１搬送ローラ対１３Ａ及び第２搬送ローラ対１３Ｂの駆動を一端停止する。
【０１２３】
そして、ＣＰＵ１００は、通帳類１上における転写開始位置と転写ユニット４における転写位置とを整合するよう媒体搬送制御回路１０８を制御し、第１搬送ローラ対１３Ａ及び第２搬送ローラ対１３Ｂにより通帳類１の位置を微調整する。すなわち、通帳類１は、ヒートローラ２６が回転した際に、ヒートローラ２６におけるカット面３５Ａのエッジ部３５Ａｅが印刷頁１０の綴目１０Ｆの近傍に当接されるよう位置決めされる。
【０１２４】
続いて、図１０の（ｃ）に示すように、ＣＰＵ１００は、ヒータ温度制御回路１０５を制御してヒータ６５を駆動し、ヒートローラ２６を所定の温度に加熱する。そして、ＣＰＵ１００は、所定のタイミングでヒートローラ回転制御回路１０６を制御して、ヒートローラ２６を回転させる。
【０１２５】
すなわち、互いに位置決めされた中間転写フィルム２８及び通帳類１は、円周の一部が切り欠かれた形状のカット面３５Ａを有するヒートローラ２６の回転とともに重ね合わされる。このとき、中間転写フィルム２８の供給方向に直交する幅方向に対して、通帳類１の印刷頁１０の綴目１０Ｆが平行となるよう互いに重ね合わせて転写を開始する。
【０１２６】
転写開始に伴い、搬送ローラ対１３Ａ及び１３Ｂによる通帳類１の搬送と、搬送機構３０による中間転写フィルム２８の搬送とが行われる。このとき、ヒートローラ２６により、中間転写フィルム２８及び通帳類１は、加圧・加熱される。加圧加熱の後、ガイドシャフト３１ｃの作用により通帳類に対して６０°〜１１０°の角度をもって中間転写フィルム２８のベース層４０が引き上げられて、所定情報が印刷された接着層４２及びホログラム層４１が通帳類１の印刷頁１０に転写される。
【０１２７】
続いて、図１０の（ｄ）に示すように、ＣＰＵ１００は、媒体搬送制御回路１０８を制御して、第１搬送ローラ対１３Ａ及び第２搬送ローラ対１３Ｂを駆動し、転写が完了した通帳類１を印刷頁１０を開いた状態で搬送方向下流側に排出させる。これにより、通帳類１は、第１印刷検査部２０６に向けて搬送される。
【０１２８】
ところで、上述した中間転写印刷部２０５での処理効率を向上するために、印刷ユニット３と転写ユニット４との各動作時間をできるだけ重ね合わせるように並行動作を行う。すなわち、印刷ユニット３による印刷動作の少なくとも一部は、印刷位置と転写位置との間にストックされた少なくとも１画像分の所定情報の転写ユニット４による転写動作が行われている時間の少なくとも一部と並行して行われる。
【０１２９】
上述したような中間転写印刷部２０５では、印刷ユニット３において処理に要する時間が最も長く、この処理時間内に転写ユニット４における転写動作を重ね合わせることが望ましい。つまり、転写動作は、印刷ユニット３における５色（又はそれ以上の色）の重ね合わせ印刷動作において、最後に重ね合わせられる色の印刷動作とほぼ同時に行われる。これにより、中間転写印刷部２０５における動作時間が最短となる。
【０１３０】
転写ユニット４では、ヒートローラ２６で加熱された後の樹脂材料が一定の温度以下になるように、ヒートローラ２６からガイドシャフト３１ｃまでの剥離距離Ｘが設けられている。なお、ヒートローラ２６による転写位置（ヒートローラ２６とバックアップローら２７との接点）からガイドシャフト３１ｃと中間転写フィルム２８との接点までの剥離距離Ｘは、３０〜１００ｍｍが望ましい。
【０１３１】
図６に示した例では、中間転写フィルム２８の印刷予定エリアへの複数の色の重ね合わせ印刷を行い、最後に重ね合わせられる色すなわち黒色の印刷動作時に、印刷位置と転写位置との間にストックされた画像ストック１を通帳類１に転写する転写動作をほぼ同時に行う。
【０１３２】
このような並行動作を可能とする制御により、機構を複雑化したり各部を複雑に調整したりすることなく、しかも、装置を大型化することなく、処理効率を向上することが可能となる。このような制御は、特に複数の通帳類に対して連続的に所定情報を転写する場合に有利である。
【０１３３】
上述したような並行動作を行う際、印刷動作時における中間転写フィルム２８の搬送速度と、転写動作時における中間転写フィルム２８の搬送速度とを、ほぼ同一とすることが望ましい。これにより、可動範囲の狭いテンション機構８０であっても限られた速度変動を吸収することができ、各々の並行動作を可能とする。
【０１３４】
このとき、中間転写フィルム２８の搬送速度は、印刷ユニット３においてはサーマルヘッド５の耐印加エネルギ特性やインクリボン７を構成する基材フィルムの耐熱性などに起因し、転写ユニット４においては中間転写フィルム２８を構成する接着層４２を軟化するのに必要なエネルギやベース層４０の耐熱温度などに起因し、共に５〜２０ｍｍ／秒が望ましい。
【０１３５】
図７に示したように、テンション機構８０においては、印刷動作時と転写動作時との速度差をできるだけ小さくするように材料選定やヒートローラ温度選択などを行うことで、テンション機構８０の動作範囲を中間転写フィルム２８の経路長換算した長さＭと、通帳類への転写長さＴの関係を、
Ｍ＜０．５×Ｔ    （式１）
とすることができる。これにより、テンション機構８０を、搬送ローラ３２への巻き付き力を発生させるためのテンション機構との共通化が可能となり、簡略化及びスペースの最小化が可能になる。
【０１３６】
図６では、中間転写フィルム２８上の「印刷予定エリア」への印刷が開始される直前の状態を示し、既に印刷ユニット３と転写ユニット４との間には、画像ストック１及び画像ストック２が蓄積されている。
【０１３７】
図１１では、サーマルヘッド５とヒートローラ２６との間の中間転写フィルム２８の経路を展開して、ストックされた画像と機構的な関係を示している。サーマルヘッド５とヒートローラ２６との経路距離Ｌは、（式２）で表される。
【０１３８】
Ｌ＝Ｐ×ｎ＋α    （式２）
ただし、α＜Ｐ、ｎ：画像ストック数（ｎ＝１，２．．．）、Ｐ：単位繰り返し長さ、α：フィルム余分長さである。Ｌはできるだけ小さくなるように機構配置がなされることが望ましく、図１１に示した場合はｎ＝２である。また、αが小さいほど中間転写フィルム２８の無駄な部分が少なくなる。位置合わせマージンは、中間転写フィルム２８の印刷開始位置及び転写開始位置をそれぞれ印刷位置及び転写位置に整合する頭だし動作に最低限必要なフィルム搬送距離である。
【０１３９】
（中間転写印刷部／通帳識別情報を印刷データに組み込む）
図１に示した通帳類１のように、通帳識別情報の文字列（Ａ１Ｂ２Ｃ３Ｄ４Ｅ５）をＯＣＲ読み取り部２０２で認識し、中間転写印刷部２０５にて印刷する所定情報の一部に加えて印刷する場合を考える。中紙の３頁には、通帳識別情報が文字で付与されており、これらは通帳類１が通帳類作成装置２００に取り込まれる以前に与えられている。中紙の２頁には、所持人のカラー顔画像と、所持人やその他のセキュリティ情報に加えて通帳識別情報の少なくとも一部が黒文字で印刷されている。これら顔画像や他のセキュリティ情報は、ホログラムパターンを持つ薄膜オーバーコート層で覆われている。
【０１４０】
図１２には、ＯＣＲ読み取り部２０２〜中間転写印刷部２０５間を抜き出した概観を示す。中間転写印刷部２０５内の中間転写フィルム２８にストックされた画像と搬送路上にストックされた通帳類１との関係、印刷動作と通帳識別情報の読取動作との並行動作について、以下に説明する。ここで、読み取られた通帳識別情報は、中間転写印刷部２０５における印刷ユニット３において黒色印刷データのみに組み込まれて反映されることが特徴である。
【０１４１】
中間転写印刷部２０５の印刷ユニット３では、シアン（Ｃ）、マゼンタ（Ｍ）、イエロー（Ｙ）、蛍光（Ｆ）、黒色（Ｂｋ）のそれぞれに対応した印刷データに基づいて、中間転写フィルム２８の表面にＣ、Ｍ、Ｙ、Ｆ、Ｂｋの順序で所定情報が印刷される。
【０１４２】
すなわち、まずは、中間転写フィルム２８の印刷予定エリアにおいて、Ｃ，Ｍ，Ｙで所持人の顔画像がカラー印刷される。また、無色蛍光インク（Ｆ）により隠し画像が印刷される。これら複数の色による顔画像などのカラー印刷動作中に、通帳取り込み部２０１による通帳類１の取込動作、ページめくり部２０３によるページめくり動作、ＯＣＲ読み取り部２０２による通帳識別情報の読取動作及び認識動作などが並行して行われる。
【０１４３】
通帳取り込み部２０１では、閉じた状態で複数冊が重ねてセットされた通帳類１のうち１冊のみを取り込む。ページめくり部２０３では、取り込まれた通帳類１の表紙がめくられて所定の印刷頁を開いた状態すなわち中紙２、３頁を開いた状態とする。ＯＣＲ読み取り部２０２では、読取対象の通帳類１から予め付与された通帳識別情報を読み取り、認識処理を行う。
【０１４４】
ＯＣＲ読み取り部２０２による認識結果は、中間転写印刷部２０５側に転送される。ＣＰＵ１００は、認識結果として受け取った通帳識別情報を黒色で印刷される所定情報に追加し、サーマルヘッド５に転送される黒色用の印刷データを生成する。ここまでの工程は、Ｃ、Ｍ、Ｙによるカラー印刷動作及び蛍光隠し画像（Ｆ）の印刷動作中に行われる。
【０１４５】
続いて、黒色用の印刷データに基づいて、中間転写フィルム２８の印刷予定エリアに黒色の所定情報が印刷される。この黒色印刷動作時においては、中間転写フィルム２８が順方向に搬送されるが、この中間転写フィルム２８の搬送速度とほぼ等しい速度で転写ユニット４におけるヒートローラ２６を駆動する。これにより、黒色印刷動作中に、転写動作が並行して行われる。つまり、画像ストック１と通帳ストック１とがヒートローラ２６で加圧・加熱され、通帳類１に所定情報とともにホログラム層付きの薄膜保護層が転写される。転写位置を通過した中間転写フィルム２８は、転写ユニット４で剥離完了の位置まで搬送される。
【０１４６】
この印刷ユニット３での中間転写フィルム２８の印刷予定エリアへの５色の印刷動作完了に伴って、印刷予定エリアに印刷された所定情報は、画像ストック２の位置に移動する。また、転写ユニット４での画像ストック１の通帳ストック１への転写動作完了に伴って、通帳ストック２は、転写ユニット４における通帳ストック１の位置まで順次搬送され、ＯＣＲ読取部２０２にて通帳識別情報が読み取られた読取対象の通帳類１も、直接印刷部２０４における通帳ストック２の位置に搬送される。通帳ストック２の位置に有った通帳類１は、最後に転写ユニット下の通帳ストック１の位置に搬送され、同様に薄膜オーバーコート層が付与され、一連の印刷・転写動作が完了する。
【０１４７】
上述したように、通帳類の取込動作、頁捲り動作、識別情報の読取動作などは、中間転写印刷部２０５の印刷ユニット３によって最後に重ね合わせられる色の印刷動作よりも先の色の印刷動作と並行して行われ、読取動作によって読み取られた識別情報は、最後に重ね合わせられる色の印刷動作において印刷される。また、最後に重ね合わせられる色の印刷動作は、転写ユニットにおける転写動作と並行して行われる。これにより、複数の通帳類に対して連続的に所定情報を転写することが可能となり、処理効率を向上することが可能となる。
【０１４８】
図１２において、ＯＣＲ読取部２０２から中間転写印刷部２０５の転写ユニット４までの搬送路１１上に存在する通帳類の冊数をＰｂとすると、
Ｐｂ＝ｎ＋１    （式３）
（実施例ではｎ＝２、Ｐｂ＝３）
の関係が成り立っている。Ｐｂは通帳類作成装置全体の大きさに影響し、また通帳類の滞留部を設けることで複雑になったりコスト上昇の原因ともなるため、できるだけ少ない方が良い。
【０１４９】
ただし、動作最短時間で（式３）を満足させるためには、印刷ユニット３での第１色〜第４色までの印刷動作中に、ページめくり動作及び通帳識別情報の認識、認識結果を織り込んだ第５色（黒）の印刷動作が終わる場合のみであり、これら関係がくずれる場合には以下の状態となる。
【０１５０】
印刷ユニット３での第１色〜第４色までの印刷動作中に、ページめくり動作及び通帳識別情報の認識、認識結果を織り込んだ第５色（黒）の印刷動作が終わらない場合、（式３）を満たす通帳類数のみを搬送路に配置すると、印刷動作中又は印刷開始前に待ち時間が発生することになる。それでも待ち時間を勘案の上、装置全体のサイズを優先させる場合は
Ｐｂ  ＝  Ｎ  ＋  １    （式３）’
とすることが望ましい。
【０１５１】
また、連続動作による見かけの１冊当たり通帳類作成時間を短くするためには、
Ｐｂ  ＝  Ｎ  ＋  ２    （式４）
とすることで、通帳識別情報の印刷有無に関係なく待ち時間を回避することが可能となるが、装置の大型化やコスト増などの影響が考えられる。
【０１５２】
（第１印刷検査部）
続いて、中間転写印刷部２０５から搬送された所定頁１０を開いた状態の通帳類１は、ＣＰＵ１００の制御に基づいて、第１印刷検査部２０６における光学系の所定位置まで正確に搬送され、停止される。そして、第１印刷検査部２０６では、ＣＰＵ１００の制御に基づいて、通帳類１の裏側から光学系に向かって図示しないバックアップ部材で押し上げ、通帳類１を光学系における接触面となるガラスに密着させる。その後、第１印刷検査部２０６は、中間転写印刷部２０５で印刷された所定情報に含まれるセキュリティ情報のうち中紙２頁の黒の文字（アルファベット大文字・小文字、数字、運用上必要な記号）について認識し、さらに、字体の検査を行う。
【０１５３】
すなわち、第１印刷検査部２０６は、中紙２頁に印刷された文字を認識し、印刷された所定情報と装置として印刷を予定していた内容とが一致しているか確認する。
【０１５４】
また、第１印刷検査部２０６は、中紙３頁の通帳固有の通帳識別情報も読み取った後に認識し、通帳識別情報の認識結果と、中紙２頁に印刷された所定情報に組み込まれた通帳識別情報（図１に示した例では「Ａ１Ｂ２Ｃ３Ｄ４Ｅ５」）の認識結果とが一致しているか確認する。
【０１５５】
さらに、第１印刷検査部２０６は、中紙２頁に印刷された文字の外形形状、寸法、印字位置、文字ピッチ、行ピッチ、濃度分布などをＯＣＲ文字規格に沿って検査し、文字の欠けやかすれ、印刷の変形等が存在しないか、確認する。
【０１５６】
そして、第１印刷検査部２０６では、検査終了後にバックアップ部材を離間させて、通帳類１を主搬送路上に戻すとともに、検査結果をＣＰＵ１００に出力する。
【０１５７】
（第２印刷検査部）
続いて、第２印刷検査部２０７に搬送されてきた通帳類１は、ＣＰＵ１００の制御に基づいて、第２印刷検査部２０７における光学系の所定位置まで正確に搬送され、停止される。そして、第２印刷検査部２０７では、ＣＰＵ１００の制御に基づいて、通帳類１の裏側から光学系に向かって図示しないバックアップ部材で押し上げ、通帳類１を光学系における接触面となるガラスに密着させる。その後、第２印刷検査部２０７は、中間転写印刷部２０５で印刷された所定情報に含まれるセキュリティ情報のうち中紙２頁の無色蛍光の隠し画像について検査を行う。
【０１５８】
すなわち、第２印刷検査部２０７は、中紙２頁に印刷された蛍光画像を認識し、印刷された蛍光画像と装置として印刷を予定していた内容とが一致しているか確認する。また、第２印刷検査部２０７は、中紙２頁に印刷された蛍光画像の外形形状、寸法等を検査し、蛍光画像に欠けやかすれ、印刷の変形等が存在しないか、確認する。そして、第２印刷検査部２０７は、検査終了後にバックアップ部材を離間させて、通帳類１を主搬送路上に戻すとともに、検査結果をＣＰＵ１００に出力する。
【０１５９】
（折り畳み部〜通帳集積部）
所定頁１０を開いた状態で折り畳み部２０８に搬送されてきた通帳類１は、ＣＰＵ１００の制御に基づいて所定位置で一旦停止される。そして、折り畳み部２０８では、図示しない爪状機構部品を綴じ糸近くに差込み、通帳類１をくの字に折り曲げながら綴じ糸部を先頭にして再度搬送することで、通帳類１の綴目１０Ｆに沿った折り畳み動作を行う。
【０１６０】
続いて、折り畳まれた状態の通帳類１は、振り分け機構２０９に搬送される。振り分け機構２０９では、ＣＰＵ１００の制御に基づいて通帳類１の集積先を振り分ける。すなわち、振り分け機構２０９は、第１印刷検査部２０６及び第２印刷検査部２０７による検査結果に基づいて、正常と判断された正常通帳類を第１集積部２１０Ａに向けて搬送するとともに、異常有りと判断された不良通帳類を第２集積部２１０Ｂに向けて搬送する。
【０１６１】
続いて、正常と判断されて振り分け機構２０９を通過した正常通帳類１は、通帳集積部２１０の第１集積部２１０Ａにおいて印刷完了順に集積される。また、異常が認められて振り分け機構２０９を通過した不良通帳類は、通帳集積部２１０の第２集積部２１０Ｂにて保管される。
【０１６２】
そして、ＣＰＵ１００は、第１印刷検査部２０６及び第２印刷検査部２０７による検査結果に基づいて、不具合を有すると判断された通帳類に印刷・転写した所定情報を再度別の新しい通帳類へ転写するよう制御する。
【０１６３】
すなわち、ＣＰＵ１００は、不良通帳類が発生したのに基づいて、通帳取り出し部２０１を制御して新たな通帳類を取り出し、ページめくり部２０３を制御して所定頁１０を捲り出し、ＯＣＲ読み取り部２０２を制御して通帳識別情報を読み取り、メモリ部１０１に読み取った通帳識別情報に対応したデータを記憶する。
【０１６４】
そして、ＣＰＵ１００は、この不良通帳類に印刷した所定情報に対応する同一のカラー顔画像データ及びセキュリティ文字情報に対応したデータなどをメモリ部１０１から読み出す。そして、ＣＰＵ１００は、画像処理部１１４を制御して、メモリ部１０１から再度提供されたデータと新たに読み取った通帳識別情報に対応したデータとを組み合わせて印刷データを作成する。
【０１６５】
そして、ＣＰＵ１００は、直接印刷部２０４を制御して搬送された通帳類に必要に応じて印刷データに基づいて所定情報を印刷した後、中間転写印刷部２０５を制御して画像処理部１１４により新たに作成された印刷データに基づいて所定情報を通帳類に印刷・転写する。
【０１６６】
そして、ＣＰＵ１００は、第１印刷検査部２０６を制御して通帳類に印刷・転写された所定情報を検査し、また、第２印刷検査部２０７を制御して通帳類に印刷・転写された無色蛍光画像を検査し、折り畳み部２０８を制御して検査された通帳類を綴目１０Ｆに沿って折り畳み、振り分け機構２０９を制御して検査結果に基づいて通帳類の搬送先を振り分け、正常と判断された正常通帳類を第１集積部２１０Ａに集積するとともに異常と判断された不良通帳類を第２集積部２１０Ｂに集積する。
【０１６７】
以上説明したように、上述した実施の形態に係る通帳類作成装置及び通帳類作成方法によれば、通帳類を重ねて通帳取り込み部に投入すれば、消耗品の交換、通帳類の補充・取り出しなどを除き、オペレータの作業を必要とせずに通帳類を自動的に作成することができる。このため、オペレータの負担を軽減することができるとともに、オペレータが作成作業に介在する場合に予想される、通帳類への印刷方向間違い、指紋等の汚れによる印刷不具合などが解消される。
【０１６８】
また、通帳固有の通帳識別情報を読み取り、この読み取った通帳識別情報の少なくとも一部を、所定頁に印刷・転写される所定情報に付与することにより、中間転写印刷部による印刷の書き換え、改ざんの発見が容易になり、通帳類の偽変造防止効果を向上することができる。また、このような通帳識別情報の読み取り及び通帳識別情報を付与した所定情報の印刷を自動的に行うことで、印刷順序がずれてしまうといったオペレータを介した作業ミスの発生を防止することができる。したがって、信頼性の高い通帳類を作成することができる。
【０１６９】
さらに、中間転写印刷部の後工程に印刷・転写された所定情報の検査工程（可視画像及び無色蛍光画像の検査）を追加することにより、文字の不具合を装置内部で発見可能となり、そのまま間違って流通してしまうことで所持人が「偽変造通帳所持の嫌疑」を受けることを防止できる。また、この検査工程において、同時に通帳識別情報の認識を行うことで、印刷・転写された所定情報に組み込まれている通帳識別情報と、通帳類に予め付与されていた通帳識別情報との不一致を装置内部で発見可能となり、そのまま間違って流通してしまうことで所持人が「偽変造通帳所持の嫌疑」を受けることを防止できる。なお、このような不一致は、例えば装置内部にて通帳類のジャムが発生して停止した場合、装置側がオペレータに求めるジャム通帳類の除去と、実際にオペレータが除去した通帳類に差異がある場合、などが考えられる。
【０１７０】
またさらに、検査工程における検査結果に基づいて通帳類の搬送先を変更可能な振り分け機構を設けたことにより、確実に不具合を有する通帳類を排除することができる。また、検査工程にて不具合を有する通帳類が検出されたときに装置全体を停止したりオペレータによる正常通帳類と不具合通帳類との選別作業が不要になり、信頼性の高い通帳類を効率よく作成することができる。
【０１７１】
さらにまた、不具合通帳類が発生した時に自動再作成機能を有することにより、不具合通帳類に印刷された所定情報が一旦ＣＰＵに差し戻され、再度同一のセキュリティ情報を含む所定情報が印刷されることで、作成されるべき通帳類が自動的に再作成されて、オペレータが入力したデータの一部が作成忘れとなることを防止することができる。
【０１７２】
なお、この発明は上記各実施の形態に限定されるものではなく、その実施の段階ではその要旨を逸脱しない範囲で種々な変形・変更が可能である。また、各実施の形態は可能な限り適宜組み合わせて実施されてもよく、その場合組み合わせによる効果が得られる。
【０１７３】
【発明の効果】
以上説明したように、この発明によれば、オペレータの負担を軽減できるとともに信頼性の高い通帳類を効率よく作成することが可能な通帳類作成装置及び通帳類作成方法を提供することができる。
【図面の簡単な説明】
【図１】図１は、この実施の形態に係る通帳類作成装置にて作成される被転写媒体としての通帳類の開いた状態の一例を示す図である。
【図２】図２は、図１に示した通帳類の頁構成を説明するための図である。
【図３】図３は、この発明の一実施の形態に係る通帳類作成装置の構成を概略的に示す図である。
【図４】図４は、図３に示した通帳類作成装置におけるページめくり部の構成を概略的に示す図である。
【図５】図５の（ａ）乃至（ｃ）は、それぞれ図３に示した通帳類作成装置における中間転写印刷部に適用可能な中間転写フィルムの構成を概略的に示す断面図である。
【図６】図６は、図３に示した通帳類作成装置における中間転写印刷部の構成を概略的に示す図である。
【図７】図７は、図６に示した中間転写印刷部に適用されるテンション機構の構成を概略的に示す図である。
【図８】図８は、図６に示した中間転写印刷部に適用されるヒートローラの構成を概略的に示す図である。
【図９】図９は、図３に示した通帳類作成装置における制御系統の構成を概略的に示す図である。
【図１０】図１０の（ａ）乃至（ｄ）は、図６に示した転写ユニットによる中間転写フィルム上の所定情報を通帳類に転写する転写動作を説明するための図である。
【図１１】図１１は、印刷位置から転写位置までにストックされた中間転写フィルム上の画像の位置関係を示す図である。
【図１２】図１２は、図３に示した通帳類作成装置におけるＯＣＲ読み取り部から中間転写印刷部までの間の機構を概略的に示す図である。
【符号の説明】
１…通帳類、３…印刷ユニット（印刷手段）、４…転写ユニット（転写手段）、１００…ＣＰＵ（制御手段）、２００…通帳類作成装置、２０１…通帳取り込み部（取込手段）、２０２…ＯＣＲ読み取り部（読取手段）、２０３…ページめくり部（捲り出し手段）、２０４…直接印刷部（直接印刷手段）、２０５…中間転写印刷部、２０６…第１印刷検査部（検査手段）、２０７…第２印刷検査部（検査手段）、２０８…折り畳み部（折畳手段）、２０９…振り分け機構（振り分け手段）、２１０…通帳集積部（集積手段）
【図１】
2004240882.tif 000003
【図２】
2004240882.tif 000004
【図３】
2004240882.tif 000005
【図４】
2004240882.tif 000006
【図５】
2004240882.tif 000007
【図６】
2004240882.tif 000008
【図７】
2004240882.tif 000009
【図８】
2004240882.tif 000010
【図９】
2004240882.tif 000011
【図１０】
2004240882.tif 000012
【図１１】
2004240882.tif 000013
【図１２】
2004240882.tif 000014